(57)【要約】【課題】表示領域の明るさが均一化されることで良好な表示品質が得られる電気泳動表示装置及び電子機器を提供する。【解決手段】互いに対向配置された第１基板１及び第２基板２と、第１基板１及び第２基板２の間において、表示領域Ｅに対応して配置された電気泳動層１１と、電気泳動層１１及び第２基板２の間において、表示領域Ｅの外周の少なくとも一部に配置され、第２基板２側から入射した光を散乱する散乱層４０と、を備える電気泳動表示装置１００に関する。【選択図】図３
2015060023.tif 000002
【特許請求の範囲】
【請求項１】
互いに対向配置された第１基板及び第２基板と、
前記第１基板及び前記第２基板の間において、表示領域に対応して配置された電気泳動層と、
前記電気泳動層及び前記第２基板の間において、前記表示領域の外周の少なくとも一部に配置され、前記第２基板側から入射した光を散乱する散乱層と、を備える
電気泳動表示装置。
【請求項２】
前記散乱層は、前記光を前記表示領域側に向かって反射させる
請求項１に記載の電気泳動表示装置。
【請求項３】
平面視した状態において前記散乱層の前記表示領域と反対側であり、且つ前記散乱層と交差するように配置された反射板を備える
請求項１又は２に記載の電気泳動表示装置。
【請求項４】
前記反射板は、前記第２基板の側端面に設けられる
請求項３に記載の電気泳動表示装置。
【請求項５】
前記第２基板の前記電気泳動層と反対側の面に設けられた半透過印刷層を備える
請求項１〜４のいずれか一項に記載の電気泳動表示装置。
【請求項６】
前記半透過印刷層は、平面視した状態で、前記散乱層と重なる領域に設けられている
請求項５に記載の電気泳動表示装置。
【請求項７】
請求項１乃至６のいずれか一項に記載の電気泳動表示装置を備えた
電子機器。
【発明の詳細な説明】
【技術分野】
【０００１】
本発明は、電気泳動表示装置及び電子機器に関するものである。
【背景技術】
【０００２】
従来、電気泳動表示装置として、一対の基板間に形成した隔壁によって区画される領域に電気泳動粒子を分散させた分散液を封入したものが知られている（例えば、下記特許文献１参照）。
【先行技術文献】
【特許文献】
【０００３】
【特許文献１】特開２０１３−７９８５号公報
【発明の概要】
【発明が解決しようとする課題】
【０００４】
しかしながら、上記従来技術における電気泳動表示装置では、表示領域の周辺部分の明るさが中央部分より暗くなってしまうという問題が生じていた。
【０００５】
本発明の一つの態様は、上記の課題を解決するためになされたものであって、表示領域の明るさが均一化されることで良好な表示品質が得られる電気泳動表示装置及び電子機器を提供することを目的の一つとする。
【課題を解決するための手段】
【０００６】
本発明者らは、鋭意研究の結果、表示領域内で明るさが異なってしまうのは、所定の対象画素に入射する光の約６０％が該対象画素の周辺の画素からの反射光によるものであることが原因であるとの知見を得た。すなわち、表示領域の中央にある画素では約６０％の周辺画素からの光を受光できていたのに対して、表示領域の四隅の画素では１／４の約１５％程度の光しか受光できていなかったとの知見を得た。そして、この知見に基づき、本発明を完成させたのである。
【０００７】
本発明の第１態様に従えば、互いに対向配置された第１基板及び第２基板と、前記第１基板及び前記第２基板の間において、表示領域に対応して配置された電気泳動層と、前記電気泳動層及び前記第２基板の間において、前記表示領域の外周の少なくとも一部に配置され、前記第２基板側から入射した光を散乱する散乱層と、を備える電気泳動表示装置が提供される。
【０００８】
第１態様に係る電気泳動表示装置によれば、電気泳動層で散乱された光のうち第２基板の表面で全反射された光を散乱層によって散乱させることができる。これにより、散乱層による散乱光の一部が表示領域側に反射して戻される。よって、表示領域の外周部分が明るくなるので、表示領域の明るさが均一化されて高品質の表示が可能となる。
【０００９】
上記第１態様において、前記散乱層は、前記光を前記表示領域側に向かって反射させることが好ましい。
この構成によれば、散乱光が表示領域側に戻されるので、表示領域の周辺部をより明るくすることができる。
【００１０】
上記第１態様において、平面視した状態において前記散乱層の前記表示領域と反対側であり、且つ前記散乱層と交差するように配置された反射板を備えることが好ましい。
この構成によれば、表示領域の外側に散乱された光を表示領域側に戻すことができる。よって、光の利用効率を高めるとともに表示領域の周辺部をより明るくすることができる。
【００１１】
上記第１態様において、前記反射板は、前記第２基板の側端面に設けられることが好ましい。
この構成によれば、第２基板の側端面から外部に抜け出す光を内側に戻すことができるので、光の利用効率が向上し、表示領域をより明るくすることができる。
【００１２】
上記第１態様において、前記第２基板の前記電気泳動層と反対側の面に設けられた半透過印刷層を備えることが好ましい。
この構成によれば、半透過印刷層を介して外部の光を取り込むことができる。
【００１３】
上記第１態様において、前記半透過印刷層は、平面視した状態で、前記散乱層と重なる領域に設けられていることが好ましい。
この構成によれば、半透過印刷層によって散乱層を目立たなくすることができ、意匠性を向上させることができる。
【００１４】
本発明の第２態様に従えば、上記第１態様に係る電気泳動表示装置を備えた電子機器が提供される。
【００１５】
第２態様に係る電子機器によれば、上記電気泳動表示装置を備えるので、該電子機器自体も均一な明るさの表示を行うことが可能な信頼性の高いものとなる。
【図面の簡単な説明】
【００１６】
【図１】第１実施形態に係る電気泳動表示装置の概略構成を示す断面図。
【図２】電気泳動表示装置の表示領域を構成する額縁構造の平面構造を示す図。
【図３】図２のＡ−Ａ´線矢視による断面図。
【図４】従来の電気泳動表示装置で生じている現象を説明するための概略断面図。
【図５】散乱層の要部構成を示す断面図。
【図６】第２実施形態に係る電気泳動表示装置の概略構成を示す断面図。
【図７】第３実施形態に係る電気泳動表示装置の概略構成を示す断面図。
【図８】（ａ）、（ｂ）は、第３実施形態に係る電気泳動表示装置の要部構成を示す図。
【図９】（ａ）は、電子機器の一例である電子ブックを示す斜視図、（ｂ）は、電子機器の一例である腕時計を示す斜視図、（ｃ）は、電子機器の一例である電子ペーパーを示す斜視図。
【発明を実施するための形態】
【００１７】
以下、本発明の電気泳動表示装置及び電子機器の一実施形態について、図面を参照しつつ説明する。
なお、以下の説明で用いる図面は、特徴をわかりやすくするために、便宜上特徴となる部分を拡大して示している場合があり、各構成要素の寸法比率などが実際と同じであるとは限らない。
【００１８】
（第１実施形態）
図１は本実施形態に係る電気泳動表示装置の概略構成を示す断面図である。図１に示すように電気泳動表示装置１００は、素子基板１と、対向基板２と、該素子基板１及び対向基板２間に配置される電気泳動層１１と、を備えている。
【００１９】
素子基板（第１基板）１は、基材１Ａと、基材１Ａの電気泳動層１１側に設けられた画素電極（第１電極）４と、画素電極４を覆う第１絶縁膜７と、を含む。基材１Ａは、ガラスやプラスチック等からなる基板であり、画像表示面とは反対側に配置されるため透明なものでなくてもよい。画素電極４は、Ｃｕ箔上にニッケルめっきと金めっきとをこの順で積層したものや、Ａｌ、ＩＴＯ（インジウム錫酸化物）などにより形成された電極である。図示は省略しているが、画素電極４と基材１Ａとの間には、走査線、データ線、及び選択トランジスタなどが形成されている。
【００２０】
対向基板（第２基板）２は、ガラスやプラスチック等の透明基材から構成され、画像表示側に配置される。対向基板２の電気泳動層１１側には複数の画素電極４と対向する平面形状の共通電極５が形成されている。共通電極５の全面は、第２絶縁膜８により覆われている。共通電極５は、ＭｇＡｇ、ＩＴＯ、ＩＺＯ（インジウム・亜鉛酸化物）などから形成された透明電極である。
【００２１】
電気泳動層１１は、素子基板１の内面側に設けられた第１絶縁膜７と、対向基板２の内面側に設けられた第２絶縁膜８と、これら第１絶縁膜７及び第２絶縁膜８間に配置された隔壁１０と、で仕切られた空間に充填されている。隔壁１０は、各画素電極４に対応して設けられる画素Ｇを区画するものであって、透光性材料（アクリルやエポキシ樹脂など）から構成されている。
【００２２】
隔壁１０の厚みは、例えば、３０μｍである。なお、隔壁１０の上部と第２絶縁膜８との間には、接合層２１が設けられている。接合層２１は、対向基板２と隔壁１０が形成された素子基板１とを接合するためのものである。接合層２１は、例えば透明樹脂で構成されており、隔壁１０の上部を接合層２１に食い込ませている。接合層２１の厚みは、電界の妨げにならない程度が良く、例えば、２μｍ〜６μｍ程度とするのが好ましい。また、隔壁１０の接合層２１への食い込み量は、例えば、０．５μｍ〜１μｍとするのが好ましい。
【００２３】
電気泳動層１１は、分散媒３０中に分散された複数の電気泳動粒子３１から構成される。本実施形態において、電気泳動粒子３１は、例えば白色粒子３１ａ及び黒色粒子３１ｂを含む。
【００２４】
白色粒子３１ａは、例えば、酸化チタン、亜鉛華、三酸化アンチモン等の白色顔料からなる粒子（高分子あるいはコロイド）であり、例えば負に帯電されて用いられる。黒色粒子３１ｂは、例えば、アニリンブラック、カーボンブラック等の黒色顔料からなる粒子（高分子あるいはコロイド）であり、例えば正に帯電されて用いられる。これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
【００２５】
また、白色粒子３１ａ及び黒色粒子３１ｂに代えて、例えば赤色、緑色、青色などの顔料を用いてもよい。この構成によれば、赤色、緑色、青色などを表示することでカラー表示を行うことが可能な電気泳動表示装置１００を提供することができる。
【００２６】
分散媒３０としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、キシレン、長鎖アルキル基を有するベンゼン類（ヘキシルベンゼン、ヘプチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）などを例示することができ、その他の油類であってもよい。これらの物質は単独又は混合物として用いることができ、さらに、カルボン酸塩のような界面活性剤などを配合してもよい。
【００２７】
このような構成に基づき、電気泳動表示装置１００では、例えば、画素電極４と共通電極５との間に電圧を印加すると、これらの間に生じる電界にしたがって、電気泳動粒子３１（白色粒子３１ａ及び黒色粒子３１ｂ）はいずれかの電極（画素電極４、共通電極５）に向かって電気泳動する。例えば、白色粒子３１ａが正荷電を有する場合、画素電極４を負電位とすると、白色粒子３１ａは画素電極４側（下側）に移動して集まり、黒表示となる。
【００２８】
図２は、電気泳動表示装置１００の表示領域を構成する額縁構造の平面構造を示す図である。図３は、図２のＡ−Ａ´線矢視による断面図である。
図２、３に示すように、電気泳動表示装置１００は、表示領域Ｅを囲むようにシール材４１が設けられている。シール材４１は、素子基板１と対向基板２とを貼り合わせるために用いられるものであり、表示領域Ｅの最外周に位置する画素Ｇを区画する隔壁１０に接触した状態に配置される。シール材４１の幅は、例えば、４５０μｍである。シール材４１の厚みは、例えば、２０μｍ〜５０μｍである。
【００２９】
本実施形態において、対向基板２は、図３に示すように、素子基板１よりも外形が小さくなっている。シール材４１の外側には、素子基板１と対向基板２との間の封止性を高めるべく、モールド樹脂などからなる封止材４３が設けられている。封止材４３の幅は、例えば、２５０μｍである。
【００３０】
ところで、従来の電気泳動表示装置では、一般的に、表示領域の周辺部分の明るさが中央部分より暗くなってしまうという問題が生じていた。
【００３１】
図４は、従来の一般的な電気泳動表示装置１００Ａにおいて生じていた現象を説明するための概略断面図である。
図４に示すように、電気泳動表示装置１００Ａでは、表示面となる対向基板２Ａ側から入射した外光が電気泳動層１１Ａで散乱反射される。電気泳動層１１Ａで散乱反射された光は再び対向基板２Ａ内に入射し、対向基板２Ａと空気の界面で臨界角度未満の角度を有する光Ｌ１のうち一部の光Ｌ１ａが反射されて内部へと戻り、残りの一部の光Ｌ１ｂが表示面から画像光として出射される。一方、臨界角度以上の角度を有する光Ｌ２は、全反射されることで再び電気泳動層１１Ａへと照射される。
【００３２】
このように電気泳動表示装置１００Ａにおいて、例えば、電気泳動層１１Ａで反射された光が表示面から直接出射される割合は３８％程度、表示面の内側に戻される割合が６２％程度である。なお、表示面の内側に戻された光は、再び電気泳動層１１Ａで反射を繰り返す。
【００３３】
ある箇所の電気泳動層１１Ａから出た光は、他の箇所の電気泳動層１１Ａに戻る。すなわち、ある箇所の電気泳動層１１Ａに該当する明るさの６２％程度は、他の電気泳動層１１Ａの反射光によって構成されたものであると換言することができる。
【００３４】
そのため、表示領域の中央にある画素では周辺画素からの６２％の光を受けるのに対して、表示領域の周辺部分、例えば四隅の画素はその１／４の１５％の光しか受けることができない。以上のように、中央部の画素よりも周辺部の画素の方が暗くなることが表示領域内で明るさを不均一とする原因となっているとの知見を得た。
【００３５】
このような知見に基づき、本実施形態に係る電気泳動表示装置１００は、表示領域Ｅの外周に配置された散乱層４０を備えている。散乱層４０は、対向基板２側から入射した光を散乱するためのものである。ここで、対向基板２側から入射した光とは、対向基板２を透過して表示領域Ｅの周辺部に入射して電気泳動層１１で少なくとも１回反射された後に散乱層４０に入射する光の他、対向基板２を透過して直接散乱層４０に入射する光も含む。
【００３６】
なお、散乱層４０として、電気泳動粒子３１（白色粒子３１ａ又は黒色粒子３１ｂ）と同色の材料を用いるのが好ましい。これにより、電気泳動粒子３１により構成される表示領域Ｅと散乱層４０との境界を見え難くすることが可能となる。
本実施形態において、散乱層４０は、例えば、白色粒子３１ａを構成する白色顔料の酸化チタンを、アクリルをバインダーとして塗布或いは印刷することで構成される。
【００３７】
なお、シール材４１に酸化チタンを混入させることで、シール材４１によって散乱層の一部を構成するようにしても良い。
【００３８】
本実施形態において、散乱層４０は、平面視した状態で表示領域Ｅの周囲を囲む額縁状に形成されている。散乱層４０は、対向基板２上の第２絶縁膜８上に形成されている。
【００３９】
図５は、散乱層４０の要部構成を示す断面図である。図５に示すように、散乱層４０は、複数の凸部４０ａを有している。これら複数の凸部４０ａは、光を表示領域Ｅ側に向かって反射させる（後方散乱）形状をなすように配向されている。これにより、表示領域Ｅの周辺部の画素Ｇで反射されることで散乱層４０に入射した光は、再び、表示領域Ｅ側へと戻される。
【００４０】
ここで、散乱層４０は、表示領域Ｅとの間に生じる隙間を小さくするように設けるのが好ましい。これは、平面視した状態において、散乱層４０と表示領域Ｅとの間に大きな隙間が生じていると、該隙間部分は、表示領域Ｅの所定画素からの散乱光の対向基板２の表面での全反射成分を表示領域Ｅ側に戻すことができなくなるからである。すなわち、表示領域Ｅに光を効率的に戻すことができず、光を有効利用できなくなるためである。
表示領域Ｅに効率的に光を戻す場合、散乱層４０と表示領域Ｅとの隙間は、最大でも対向基板２の厚さの５倍程度とするのが望ましく、４倍以下であることがより望ましい。散乱層４０と表示領域Ｅとの間には隙間が設けられていなくてもよい。
【００４１】
本実施形態において、散乱層４０の内縁部は、平面視した状態で表示領域Ｅの外周端部と重なるように形成されている。すなわち、散乱層４０は、表示領域Ｅの際まで形成されており、表示領域Ｅとの間で隙間を設けない状態としている。
【００４２】
本実施形態によれば、表示領域Ｅの外周部の画素Ｇ内の電気泳動層１１で散乱された光のうち対向基板２の表面で全反射されることで表示領域Ｅの外側に出た光を、散乱層４０によって表示領域Ｅ側に戻すことができる。これにより、散乱層４０が設けられた表示領域Ｅの外周部分の画素Ｇの明るさを向上させることができる。
【００４３】
したがって、上述のように一般的な電気泳動表示装置１００において生じていた、表示領域内で明るさが不均一となってしまうといった不具合の発生を防止することができる。
以上のように電気泳動表示装置１００は、表示領域Ｅの明るさが均一化されるので、結果的に高品質の表示を行う事ができる。
【００４４】
（第２実施形態）
続いて、第２実施形態に係る電気泳動表示装置について説明する。本実施形態では、散乱層４０に加えて反射板を備える点が異なる。なお、上記実施形態と同一の部材については同じ符号を付し、その詳細については省略する。
【００４５】
図６は、本実施形態に係る電気泳動表示装置の断面構造を示す図であり、第１実施形態の図３に相当するものである。図６に示すように電気泳動表示装置２００は、表示領域Ｅの外周に配置された散乱層１４０と、平面視した状態において散乱層１４０の表示領域Ｅと反対側であり、且つ散乱層１４０と交差するように配置された反射板４２と、を備えている。反射板４２は、対向基板２の側端面から外部に抜け出す光を内側に戻すことが可能である。
【００４６】
本実施形態において、反射板４２は、対向基板２の側端面に設けられている。反射板４２は、散乱層４０と同様、例えば、白色顔料の酸化チタンを、アクリルをバインダーとして塗布或いは印刷することで構成される。
【００４７】
本実施形態によれば、反射板４２によって対向基板２の側端面から外部に抜け出す光を内側に戻すことができるので、対向基板２側から入射した光をより効率的に利用することができ、表示領域Ｅの明るさをより向上させることができる。
また、散乱層１４０で反射された後、対向基板２の側端面に入射した光を反射板４２によって内側に戻すことができる。よって、散乱層１４０として、第１実施形態のように、光を表示領域Ｅ側に向かって反射させる（後方散乱）形状とは別のものを採用することができる。よって、散乱層１４０の設計自由度を向上させることができる。
【００４８】
なお、本実施形態において、反射板４２は、対向基板２の側端面に設けられているが、反射板４２の態様はこれに限定されない。例えば、反射板４２は、表示領域Ｅの外側と対向基板２の側端部との間に配置されていても良い。あるいは、表示領域Ｅの外側と対向基板２の側端部との間において、複数の反射板４２が位置を違えて配置されていても良い。
【００４９】
（第３実施形態）
続いて、第３実施形態に係る電気泳動表示装置について説明する。本実施形態では、化粧板をさらに備える点が上記第２実施形態と異なる。なお、上記実施形態と同一の部材については同じ符号を付し、その詳細については省略する。
【００５０】
図７は、本実施形態に係る電気泳動表示装置の断面構造を示す図である。図７に示すように電気泳動表示装置３００は、素子基板１と、対向基板２と、該素子基板１及び対向基板２間に配置される電気泳動層１１と、対向基板２の電気泳動層１１と反対側の面に粘着層５１を介して貼り付けられた化粧板５０と、を備えている。
【００５１】
本実施形態において、化粧板５０は、対向基板２よりも平面形状が大きく形成されている。化粧板５０は、透明基材５２と、半透過印刷層５３と、を含む。半透過印刷層５３は、光透過性を有し、透明基材５２の上面側から入射した光を透過させて対向基板２側へと入射させる。半透過印刷層５３は、平面視した状態で散乱層４０と重なるように形成されている。
【００５２】
図８は、本実施形態に係る電気泳動表示装置３００の要部構成を示す図であり、図８（ａ）は化粧板５０を除いて電気泳動表示装置３００を対向基板２側から視た平面図であり、図８（ｂ）は化粧板５０の平面構成図である。電気泳動表示装置３００は、後述する電子機器の一例である腕時計（図９（ｂ）参照）に適用されるものである。
【００５３】
本実施形態に係る電気泳動表示装置３００は、図８（ａ）に示すように、対向基板２により規定される外形が正八角形を呈している。本実施形態において、電気泳動表示装置３００は、円形状の表示領域Ｅを有している。表示領域Ｅには、表示画像Ｅ１として、腕時計用の長針及び短針が表示されている。また、表示領域Ｅの外周部を囲むように散乱層１４０がリング状に配置されている。散乱層１４０は、対向基板２側から視た場合、白色のリング状に視認される。
【００５４】
一方、化粧板５０は、図８（ｂ）に示すように、外形が円盤状からなる。化粧板５０は、表示領域Ｅに対応する表示部５０ａと、表示部５０ａの外側に配置された上記半透過印刷層５３と、半透過印刷層５３の外側に配置されたリング状の印刷層５４と、を有する。表示部５０ａは、表示領域Ｅと同じ大きさを有しており、透明度が高い部材、或いは開口から構成されている。印刷層５４は、半透過印刷層５３とは異なり、光を透過しない材料から構成されており、所定のデザインの模様等が印刷されたものである。
【００５５】
本実施形態において、半透過印刷層５３は、散乱層４０に対応する本体部５３ａと、表示領域Ｅに表示された長針及び短針とともに時刻を示す数字を示す文字部５３ｂと、を含む。本実施形態において、散乱層４０は白色材料から構成されている。そのため、化粧板５０を平面視した場合、半透過印刷層５３の本体部５３ａは下層に設けられた散乱層４０により全体が白色に視認される。
【００５６】
また、本体部５３ａは、文字部５３ｂに比べて透明度が相対的に低く或いは高く設定されている。これにより、文字部５３ｂの時刻数字部分だけが明るく或いは暗く表示することができ、時刻数字部分の視認性を向上させることができ、デザイン性を高めることができる。
【００５７】
以上述べたように、本実施形態によれば、化粧板５０を備えることでデザイン性に優れた電気泳動表示装置３００が提供される。化粧板５０は、散乱層４０に対応して配置された半透過印刷層５３を有するので、該半透過印刷層５３を介して光を内側に取り込むことができる。また、化粧板５０は、対向基板２よりも外形が大きく設定されているので、散乱層４０に積極的に光を導くことで表示領域Ｅの明るさを向上させることができる。
【００５８】
なお、本発明は、上記実施形態のものに必ずしも限定されるものではなく、本発明の趣旨を逸脱しない範囲において種々の変更を加えることが可能である。
例えば、上記実施形態では、散乱層４０が印刷等によって形成される場合を例に挙げたが、これに限定されず、対向基板２の表面を削って形成してもよい。また、このようにして形成した凹凸形状に、蒸着によりＡｌ等を成膜することで散乱層が構成されていても良い。この場合、散乱層との短絡を防止するため、散乱層の形成領域に共通電極５は配置されない。
【００５９】
また、上記実施形態では、散乱層４０が表示領域Ｅの外周の全体を囲むように配置される場合を説明したが、これに限定されず、表示領域Ｅの外周の少なくとも一部に散乱層４０を配置すればよい。これによれば、少なくとも散乱層４０を配置した位置において光が表示領域Ｅ側に戻るため、表示領域Ｅの明るさを向上させることができる。
【００６０】
（電子機器）
次に、上記各実施形態の電気泳動表示装置を電子機器に適用した場合について説明する。
図９は、本発明の電気泳動表示装置を適用した電子機器の具体例を説明する斜視図である。
図９（ａ）は、電子機器の一例である電子ブックを示す斜視図である。この電子ブック（電子機器）４００は、ブック形状のフレーム４０１と、このフレーム４０１に対して回動自在に設けられた（開閉可能な）カバー４０２と、操作部４０３と、本発明の電気泳動表示装置によって構成された表示部４０４と、を備えている。
【００６１】
図９（ｂ）は、電子機器の一例である腕時計を示す斜視図である。この腕時計（電子機器）５００は、本発明の電気泳動表示装置によって構成された表示部５０１を備えている。
【００６２】
図９（ｃ）は、電子機器の一例である電子ペーパーを示す斜視図である。この電子ペーパー（電子機器）６００は、紙と同様の質感および柔軟性を有するリライタブルシートで構成される本体部６０１と、本発明の電気泳動表示装置によって構成された表示部６０２を備えている。
【００６３】
例えば電子ブックや電子ペーパーなどは、白地の背景上に文字を繰り返し書き込む用途が想定されるため、表示ムラの解消が必要とされる。
なお、本発明の電気泳動表示装置を適用可能な電子機器の範囲はこれに限定されず、帯電粒子の移動に伴う視覚上の色調の変化を利用した装置を広く含むものである。
【００６４】
以上の電子ブック４００、腕時計５００及び電子ペーパー６００によれば、本発明に係る電気泳動表示装置が採用されているので、表示ムラが抑制されることで品質の高い表示特性を得ることができる信頼性に優れた高品位の電子機器となる。
【００６５】
なお、上記の電子機器は、本発明に係る電子機器を例示するものであって、本発明の技術範囲を限定するものではない。例えば、携帯電話、携帯用オーディオ機器などの電子機器の表示部や、マニュアル等の業務用シート、教科書、問題集、情報シート等にも、本発明に係る電気泳動表示装置は好適に用いることができる。
【符号の説明】
【００６６】
１…素子基板（第１基板）、２…対向基板（第２基板）、１１…電気泳動層、４０，１４０…散乱層、４２…反射板、５３…半透過印刷層、１００，２００，３００…電気泳動表示装置、４００…電子ブック（電子機器）、５００…腕時計（電子機器）、６００…電子ペーパー（電子機器）、Ｅ…表示領域
【図１】
2015060023.tif 000003
【図２】
2015060023.tif 000004
【図３】
2015060023.tif 000005
【図４】
2015060023.tif 000006
【図５】
2015060023.tif 000007
【図６】
2015060023.tif 000008
【図７】
2015060023.tif 000009
【図８】
2015060023.tif 000010
【図９】
2015060023.tif 000011